(57)【要約】【課題】投球者の投球フォームを矯正する投球フォーム矯正具であって、テイクバック時に投球側の腕を後方に引き過ぎることを矯正するものを提供すること。【解決手段】投球フォーム矯正具１は、投球者の背中に装着可能であり、投球者の右肩及び左肩にそれぞれ固定される第１及び第２肩部２ａ，２ｂ、投球者の腰に固定される腰部２ｃ、第１肩部２ａを中心に第１及び第２肩部２ａ，２ｂを通るラインから腰部２ｃに向かう９０度の角度範囲の少なくとも一部の角度範囲に外側に張り出す張出部２ｄと、を有する一面状のボード２を含んで構成される。投球者がボード２を背中に装着して投球をすると、テイクバック時に投球者の腕が張出部２ｄに接触することで、投球フォームを矯正することができる。【選択図】図１
0003203097.tif 000002
【実用新案登録請求の範囲】
【請求項１】
投球者の投球フォームを矯正する投球フォーム矯正具であって、
投球者の背中に装着可能な一面状のボードと、
前記ボードに設けられ、前記投球者の投球側及び逆側の肩にそれぞれ固定される第１及び第２肩部と、前記投球者の腰に固定される腰部とを備え、
前記ボードは、その中心を前記第１肩部の中心に有する円について、前記第１及び第２肩部の各々の中心を通る水平ラインから前記腰部の前記第１肩部の直下の点に向かう垂直ラインに至る９０度の角度範囲及びその上方の３０度の角度範囲を合わせた合計１２０度の角度範囲の少なくとも一部の矯正角度範囲に、前記円の中心から前記第１肩部の中心と前記第２肩部の中心の距離の４分の１以上の張出長さをもって外側に張り出す張出部を有することを特徴とする投球フォーム矯正具。
【請求項２】
前記張出長さは、前記第１肩部の中心と前記腰部の前記第１肩部の直下の点との離間距離より短いことを特徴とする、請求項１に記載の投球フォーム矯正具。
【請求項３】
前記矯正角度範囲は、前記水平ラインから３０度〜６０度の範囲を少なくとも含むことを特徴とする、請求項１又は２に記載の投球フォーム矯正具。
【請求項４】
前記ボードが、硬質ポリウレタン製、発泡スチロール製、ゴム製又は木製であることを特徴とする、請求項１〜３のいずれか１項に記載の投球フォーム矯正具。
【請求項５】
前記第１及び第２肩部をそれぞれ前記投球者の投球側及び逆側の肩の背面側に固定する第１及び第２固定具と、前記腰部を前記投球者の腰に固定する第３固定具と、をさらに備えることを特徴とする、請求項１〜４のいずれか１項に記載の投球フォーム矯正具。
【考案の詳細な説明】
【技術分野】
【０００１】
本考案は、投球者の投球フォームを矯正する投球フォーム矯正具に関する。
【背景技術】
【０００２】
野球投手の投球フォームは、大別して、腕を振りかぶり投球側の足と逆の足を上げるワインドアップ、投球側の腕を後方に引き（テイクバック）上げた足を地面に着けるコックアップ、引いた腕を前方に振ってボールを放す（リリースする）アクセレーション、リリースした腕を最後まで振り切って投球動作を終了するフォロースルーの４段階を含む。
【０００３】
なお、ワインドアップに替えて両手を胸の前に置くセットアップを行い、そのあとに投球側の足と逆の足を上げる投球フォームもある。以下、ワインドアップを行うものを「ワインドアップ投法」、セットアップを行うものを「セットアップ投法」と言う。
【０００４】
ワインドアップ投法においてもセットアップ投法においても、コックアップにおけるテイクバック時に、投球側の腕を後方に引き過ぎると、特に両肩を結ぶ平行ラインを越えて引き過ぎると、アクセレーションの際に肩或いは肘に過度の負担が加わり、ボールが加速されずパフォーマンス（例えば球速等）が下がるだけでなく、肩或いは肘の故障の原因になることもある。
【０００５】
投球フォームを正しいものとすることは重要であり、例えば特許文献１では、投球者に装着させて投球フォームを矯正する投球動作補助ウエアが開示されている。しかし、この補助ウエアは、コックアップからアクセレーションに移行する際に、投球側の肘が両肩を結ぶ平行ラインより下がらないように投球フォームを矯正するものであり、コックアップの際の過度のテイクバックを矯正するものではない。
【先行技術文献】
【特許文献】
【０００６】
【特許文献１】特開２０１２−１１５２８９号公報
【考案の概要】
【考案が解決しようとする課題】
【０００７】
本考案は、投球者の投球フォームを矯正する投球フォーム矯正具であって、テイクバック時に投球側の腕を後方に引き過ぎることを矯正するものを提供することを課題とする。
【課題を解決するための手段】
【０００８】
本考案の投球フォーム矯正具は、
投球者の投球フォームを矯正する投球フォーム矯正具であって、
投球者の背中に装着可能な一面状のボードと、
前記ボードに設けられ、前記投球者の投球側及び逆側の肩にそれぞれ固定される第１及び第２肩部と、前記投球者の腰に固定される腰部とを備え、
前記ボードは、その中心を前記第１肩部の中心に有する円について、前記第１及び第２肩部の各々の中心を通る水平ラインから前記腰部の前記第１肩部の直下の点に向かう垂直ラインに至る９０度の角度範囲及びその上方の３０度の角度範囲を合わせた合計１２０度の角度範囲の少なくとも一部の矯正角度範囲に、前記円の中心から前記第１肩部の中心と前記第２肩部の中心の距離の４分の１以上の張出長さをもって外側に張り出す張出部を有することを特徴とする。
【０００９】
投球者がボードを背中に装着して投球をすると、テイクバック時に投球者の投球側の腕が張出部の先端（ボードの端）に接触することで、投球側の腕を後方に引き過ぎる前に投球者が気づき、投球フォームを矯正することができる。両肩の距離の４分の１以上に張り出すので、肩でなく腕が張出部の先端に接触する。
【００１０】
投球者がテイクバック時に腕を引く方向（後方視における肩部の水平線と腕のなす角度）は、オーバースロー、サイドスロー、アンダースロー等の投球者各々の投法、及びワインドアップ投法であるかセットアップ投法であるかに依存して変化する。この角度が矯正角度範囲に含まれることが、投球の矯正のために必要である。全ての投法に対応するためには、１２０度の角度範囲の全体が矯正角度範囲に含まれることが必要である。一方、特定の投法における矯正を目的とする場合には、その投法における肩部の水平線と腕のなす角度が矯正角度範囲に含まれればよく、１２０度の角度範囲の全体が矯正角度範囲に含まれることは必ずしも必要ではない。
【００１１】
本考案の投球フォーム矯正具は、
前記張出長さは、前記第１肩部の中心と前記腰部の前記第１肩部の直下の点との離間距離より短いことを特徴とする。
【００１２】
投球時に、ボードに肘が当たることは、必ずしも好ましくない。肘の動きを制約されてしまうと投球が困難であり、また、肘にかかる力によって故障の原因ともなり得る。張出長さを調整して、肩と肘の間の腕が張出部の先端に接触するようにする。
【００１３】
肩から肘までの腕の長さは、投球者の体格によって相違する。特に、小児は短い。ここで、腕を下げると肘は腰の位置にあることから、肩から腰までの距離はおおむね肩から肘までの距離であると推測できる。肩から腰までの距離に基づいて張出部を設計すれば、投球者の体格に合わせて各種のサイズのボードを作成する場合にも、肩と肘の間の腕が張出部の先端に接触するようにすることができる。
【００１４】
本考案の投球フォーム矯正具は、
前記矯正角度範囲は、前記水平ラインから３０度〜６０度の範囲を少なくとも含むことを特徴とする。
【００１５】
ワインドアップ投法において、テイクバックの際の肩部の水平線と腕のなす角度は、投球者の投球スタイルに依存し一律には確定できないが、オーバースローであれば３０度強、サイドスローであれば４５度程度、アンダースローであれば６０度弱であると考えられる。
【００１６】
また、セットアップ投法において、テイクバックの際の肩部の水平線と腕のなす角度は、６０度弱であると考えられる。胸の位置にあった手を若干持ち上げてテイクバックするためである。
【００１７】
矯正角度範囲として水平ラインから３０度〜６０度の範囲を組むことで、多くの投球者に対応する投球フォーム矯正具となる。
【００１８】
本考案の投球フォーム矯正具は、
前記ボードが、硬質ポリウレタン製、発泡スチロール製、ゴム製又は木製であることを特徴とする。
【００１９】
剛性のボードを用いると、張出部の先端と接触することで腕を負傷するリスクがある。妥当な軟性をボードに持たせる。
【００２０】
本考案の投球フォーム矯正具は、
前記第１及び第２肩部をそれぞれ前記投球者の投球側及び逆側の肩の背面側に固定する第１及び第２固定具と、前記腰部を前記投球者の腰に固定する第３固定具と、をさらに備えることを特徴とする。
【００２１】
第１及び第２肩部をそれぞれ投球者の投球側及び逆側の肩の背面に、腰部を投球者の腰に留めて、ボードを背中に装着することができる。
【考案の効果】
【００２２】
本考案の投球フォーム矯正具によれば、テイクバック時に投球側の腕を後方に引き過ぎることを矯正することが可能となる。
【図面の簡単な説明】
【００２３】
【図１】図１（Ａ）〜（Ｃ）は、それぞれ、投球フォーム矯正具の構成を示す正面図、側面図、及び背面図である。
【図２】図２（Ａ）及び（Ｂ）は、それぞれ、投球フォーム矯正具を装着した状態を示す正面図及び背面図である。
【図３】図３は、投球フォーム矯正具による投球フォームの矯正を説明するための図である。
【考案を実施するための形態】
【００２４】
以下、本考案の一実施形態について説明する。
【００２５】
図１に、本実施形態に係る投球フォーム矯正具１の構成を示す。図１（Ａ）〜（Ｃ）は、それぞれ、正面図、側面図、及び背面図である。投球フォーム矯正具１は、一例として右腕でボールを投げる右投げ投球者用の矯正具であり、ボード２及び第１〜第３固定具３ａ，３ｂ，３ｃから構成される。
【００２６】
ボード２は、投球者が投球フォームを矯正するために背中に装着するボードであり、全体的に略Ｔ形状を有する一面状のボード部材である。ボード２は、右側に投球者の右肩（投球側の肩）背面に固定される第１肩部２ａ、左側に左肩背面に固定される第２肩部２ｂ、下側に腰に固定される腰部２ｃ、及び第１肩部２ａの近傍から外側に張り出す張出部２ｄを含む。ボード２の腰部２ｃには、左右に離間する２つの孔部３ｃ０が形成されている。
【００２７】
張出部２ｄは、図１（Ｃ）に示すように、背面側から見て、第１肩部２ａの中心４ａ（取付具３ａ０の上端と下端の中点：投球者がボード２を装着した際に投球者の右肩関節に当接すると考えられる部分）から、第１及び第２肩部２ａ，２ｂを通るラインＨに対して腰部２ｃに向かう９０度の角度範囲及びその上方の３０度の角度範囲を合わせた合計１２０度の角度範囲の、少なくとも一部の矯正角度範囲に外側に第１肩部の中心と前記第２肩部の中心の距離の４分の1以上の張出長さをもって（図１（Ｃ）において円弧４ｂの外側に）張り出して形成されている。本実施形態では、１２０度の角度範囲の全体において円弧４ｂの外側に張り出して形成されている。一部の矯正角度範囲は、およそθ＝４５度を中心とする範囲であり、少なくともθ＝３０〜６０度の角度範囲を含むことが望ましい。
【００２８】
張出部２ｄの張出長さは、第１肩部の中心４ａとその直下の腰部との離間距離より短い（図１（Ｃ）において円弧４ｃの内側に止まる）ことが望ましい。それにより、後述するように、テイクバック時に投球者の上腕が張出部２ｄに接触する。
【００２９】
ボード２は、例えば硬質ポリウレタンフォーム等、適度の弾性を有する素材から構成することができる。それにより、投球者の腕又はその一部がボード２に強く衝突してもその衝撃が吸収されるため、腕を保護することができる。
【００３０】
第１〜第３固定具３ａ，３ｂ，３ｃは、ボード２を投球者の背中に装着するための固定具であり、一例として木綿、ポリプロピレン、ナイロン、ゴム等からなる直径１ｃｍ程度の紐部材である。第１固定具３ａ（第２固定具３ｂ）の一端及び他端は、それぞれボード２の第１肩部２ａ（第２肩部２ｂ）上側及び下側に、背面側から取付具３ａ０（取付具３ｂ０）を用いて固定されている。それにより、第１固定具３ａ（第２固定具３ｂ）は、ボード２の正面側にループ状に撓む。第３固定具３ｃは、その両端をボード２の背面側から腰部２ｃに設けられた２つの孔部３ｃ０を通して、正面側に引き出されている。図１（Ａ）及び（Ｂ）では、第３固定具３ｃの両端が結ばれて、ボード２の正面側でループ状に撓んでいる。
【００３１】
図２に、投球フォーム矯正具１を投球者１０に装着した状態を示す。第３固定具３ｃの結びを解き、ボード２の正面側に撓んだ第１固定具３ａのループに投球者の右腕を通して、第３固定具３ａを肩口に留める。必要に応じて、取付具３ａ０を用いて第３固定具３ａの長さを調整する。それにより、ボード２の第１肩部２ａが投球者の右肩背面に固定される。同様に、第２固定具３ｂのループに左腕を通して、第２固定具３ｂを肩口に留める。必要に応じて、取付具３ａ０を用いて第２固定具３ｂの長さを調整する。それにより、ボード２の第２肩部２ｂが投球者の左肩背面に固定される。最後に、第３固定具３ｃの両端を正面側に引き出して腹部上で結ぶ。それにより、腰部２ｃが投球者の腰に固定され、ボード２、すなわち投球フォーム矯正具１が投球者１０に装着される。
【００３２】
図３に、投球フォーム矯正具１により投球フォームを矯正する原理を示す。投球者１０が、ボード２（投球フォーム矯正具１）を背中に装着して投球をする。テイクバック時に投球側の腕（右腕）を後方に引き過ぎると、右腕、特にその上腕が張出部２ｄに接触する。それにより、投球者１０は右腕の引き過ぎを知ることができる。ここで、ボード２が背中に装着されて両肩を結ぶ平行ラインの極近傍に位置するため、右腕を過度に引くこともなく、肩或いは肘の故障を防止することができる。
【００３３】
なお、図３に示した投球フォーム矯正具１の形状は、図１及び図２に示したものとは多少の相違を有する。図３に示した形状も、本考案の技術的範囲に含まれるものである。
【００３４】
以上詳細に説明したように本実施形態の投球フォーム矯正具１は、投球者の背中に装着可能であり、投球者の右肩及び左肩にそれぞれ固定される第１及び第２肩部２ａ，２ｂ、投球者の腰に固定される腰部２ｃ、第１肩部２ａを中心に第１及び第２肩部２ａ，２ｂを通るラインから腰部２ｃに向かう９０度の角度範囲及びその上方の３０度の角度範囲を合わせた合計１２０度の角度範囲の少なくとも一部の矯正角度範囲に外側に張り出す張出部２ｄと、を有する一面状のボード２を備える。投球者がボード２を背中に装着して投球をすると、テイクバック時に投球者の右腕が張出部２ｄに接触することで、投球フォームを矯正することができる。
【００３５】
なお、本実施形態の投球フォーム矯正具１は、右投げ投球者用の矯正具であるが、左投げ投球者用の矯正具はボード２の形状が左右逆になることを除いて、投球フォーム矯正具１と同じ構成である。また、投球フォーム矯正具１のボード２を表裏逆にして背中に装着することで、投球フォーム矯正具１を右投げ及び左投げ投球者共用の矯正具とすることもできる。
【産業上の利用可能性】
【００３６】
本考案の投球フォーム矯正具は、投球者の投球フォームを矯正するのに好適であり、投球者の体格や投球法によらずに適用できる。多くの投球者、特に野球に投手による利用が、幅広い年齢において考えられる。
【符号の説明】
【００３７】
１      投球フォーム矯正具
２      ボード
２ａ    肩部
２ｂ    肩部
２ｃ    腰部
２ｄ    張出部
３ａ    固定具
３ａ０  取付具
３ｂ    固定具
３ｂ０  取付具
３ｃ    固定具
３ｃ０  孔部
４ａ    中心
４ｂ    円弧（最小張出）
４ｃ    円弧（最大張出）
１０      投球者
【図１】
0003203097.tif 000003
【図２】
0003203097.tif 000004
【図３】
0003203097.tif 000005